(57)【要約】【課題】風圧の影響を緩和する性能に優れた空気調和装置用室外機及びこれを備えた空気調和装置を提供する。【解決手段】第１の通風口が設けられた前面板１３と、第２の通風口が設けられた背面板１５と、前面板１３および背面板１５の上端部同士をつなぐ天板１７とを有するケーシング１２を備えた空気調和装置用室外機１１である。天板１７は、開口部２９を有し、この開口部２９を開閉可能な蓋体３１を備えている。また、空気調和装置は、上記空気調和装置用室外機１１と、室内機とを備えている。【選択図】図１
2009293876.tif 000002
【特許請求の範囲】
【請求項１】
第１の通風口が設けられた前面板（１３）と、第２の通風口が設けられた背面板（１５）と、前記前面板（１３）および背面板（１５）の上端部同士をつなぐ天板（１７）とを有するケーシング（１２）を備えた空気調和装置用室外機であって、
前記天板（１７）は、開口部（２９）を有し、この開口部（２９）を開閉可能な蓋体（３１）を備えていることを特徴とする空気調和装置用室外機。
【請求項２】
前記蓋体（３１）は、前記開口部（２９）の開口面積よりも面積が大きい下面（３２）を有し、この下面（３２）で前記天板（１７）の上面側から前記開口部（２９）を覆うように配置されている、請求項１に記載の空気調和装置用室外機。
【請求項３】
前記蓋体（３１）はその一端が蝶番（３３）により前記天板（１７）の上面に取り付けられている、請求項２に記載の空気調和装置用室外機。
【請求項４】
前記蓋体（３１）は前記開口部（２９）を閉じる方向に付勢手段（４５）により付勢されている、請求項３に記載の空気調和装置用室外機。
【請求項５】
前記開口部（２９）は複数に分割されている、請求項１に記載の空気調和装置用室外機。
【請求項６】
前記開口部（２９）にはグリル（３５）が設置されており、このグリル（３５）によって前記開口部（２９）が複数に分割されている、請求項５に記載の空気調和装置用室外機。
【請求項７】
前記蓋体（３１）の下面（３２）または前記天板（１７）の上面には、前記蓋体（３１）の下面（３２）と前記天板（１７）の上面との間に介在する緩衝部（５１）が設けられている、請求項３に記載の空気調和装置用室外機。
【請求項８】
前記緩衝部（５１）は、前記蓋体（３１）の下面（３２）の周縁に沿って、または前記天板（１７）の上面のうち前記開口部（２９）が閉じた状態のときに前記蓋体（３１）の下面（３２）の周縁に対応する部位に沿って連設されている、請求項７に記載の空気調和装置用室外機。
【請求項９】
前記蓋体（３１）は少なくとも２つの部材（３１ａ，３２ｂ）に分割されており、各部材の一端が蝶番（３３）により前記天板（１７）の上面にそれぞれ取り付けられている、請求項３に記載の空気調和装置用室外機。
【請求項１０】
前記２つの部材（３１ａ，３２ｂ）は、前記開口部（２９）を閉じる方向に、異なる付勢力を有する付勢手段（４５）によりそれぞれ付勢されている、請求項９に記載の空気調和装置用室外機。
【請求項１１】
前記ケーシング（１２）の内部には、ファン（６８ｂ）を有する送風機（６８）と熱交換器（６６）とが設置され、前記第１の通風口と第２の通風口を通る通風経路を含む送風機室（Ｓ１）と、この送風機室（Ｓ１）の側方に設けられた機械室（Ｓ２）とが区分されており、前記開口部（２９）は前記天板（１７）のうち前記送風機室（Ｓ１）の上部に設けられている、請求項１に記載の空気調和装置用室外機。
【請求項１２】
前記第１の通風口が排気口であり、前記第２の通風口が吸気口であり、前記熱交換器（６６）が前記吸気口に沿って設けられており、
前記開口部（２９）は、前記熱交換器（６６）の表面のうち前記送風機（６８）側を向いた送風機側表面（６６ａ）よりも前記排気口側の領域の上部に設けられている、請求項１１に記載の空気調和装置用室外機。
【請求項１３】
前記開口部（２９）は、前記ファン（６８ｂ）における前記吸気口側の端部よりも前記吸気口側の領域の上部に設けられている、請求項１２に記載の空気調和装置用室外機。
【請求項１４】
請求項１に記載の空気調和装置用室外機と、室内機とを備えた空気調和装置。
【発明の詳細な説明】
【技術分野】
【０００１】
本発明は、空気調和装置用室外機及びこれを備えた空気調和装置に関するものである。
【背景技術】
【０００２】
従来、空気調和装置の室外機として、排気グリルが取り付けられた前面板と吸気グリルが取り付けられた背面板とこれらの上端部同士をつなぐ天板とを有するケーシングの内部に熱交換器、ファンなどが設置されたものが知られている（例えば、特許文献１参照）。このような室外機は、屋外に設置されるため風による圧力を受けるので、所定の風圧にも耐えられるように地面などに設置される。
【特許文献１】特開閉１０−３３９４７８号公報
【発明の開示】
【発明が解決しようとする課題】
【０００３】
しかしながら、想定の範囲を超えるような暴風が生じる可能性も否定できないので、想定外の風速による風圧を受けた場合であってもその風圧の影響を緩和できるような室外機が求められている。
【０００４】
そこで、本発明は、かかる点に鑑みてなされたものであり、その目的とするところは、風圧の影響を緩和する性能に優れた空気調和装置用室外機及びこれを備えた空気調和装置を提供することにある。
【課題を解決するための手段】
【０００５】
本発明の空気調和装置用室外機は、第１の通風口が設けられた前面板（１３）と、第２の通風口が設けられた背面板（１５）と、前記前面板（１３）および背面板（１５）の上端部同士をつなぐ天板（１７）とを有するケーシング（１２）を備えた空気調和装置用室外機であって、前記天板（１７）は、開口部（２９）を有し、この開口部（２９）を開閉可能な蓋体（３１）を備えている。
【０００６】
この構成によれば、天板（１７）が開口部（２９）とこの開口部（２９）を開閉可能な蓋体（３１）とを備えているので、大きな風圧を受け、第１の通風口と第２の通風口を通る通風経路だけではその風圧を十分に緩和できない場合であっても、天板（１７）に設けられた蓋体（３１）により開口部（２９）を開くことによって風圧の影響を緩和することができる。すなわち、第１の通風口または第２の通風口から入った風の一部を開口部（２９）を通じて逃がすことができる。
【０００７】
前記蓋体（３１）は、前記開口部（２９）の開口面積よりも面積が大きい下面（３２）を有し、この下面（３２）で前記天板（１７）の上面側から前記開口部（２９）を覆うように配置されているのが好ましい。この構成によれば、開口面積よりも面積の大きな下面（３２）で天板（１７）の上面側から開口部（２９）を覆っているので、ケーシング（１２）内部が負圧となる通常運転時には蓋体（３１）が開口部（２９）を塞いだ状態とすることができる一方で、ケーシング（１２）の内部の圧力が高まった時にはその風圧がケーシング（１２）の内部側から開口部（２９）を通じて蓋体（３１）の下面（３２）を押圧し蓋体（３１）を押し上げて、開口部（２９）を開口させた状態とすることができる。これにより、風圧の影響を緩和させる必要があるときに選択的に開口部（２９）を開口させることができる。
【０００８】
前記蓋体（３１）はその一端が蝶番（３３）により前記天板（１７）の上面に取り付けられているのが好ましい。この構成によれば、天板（１７）の上面側から開口部（２９）を覆う蓋体（３１）の一端が蝶番（３３）により天板（１７）の上面に取り付けられているので、ケーシング（１２）の内圧により蓋体（３１）の下面（３２）が押圧されて蓋体（３１）が押し上げられたときには、蝶番（３３）の軸を中心に蓋体（３１）が回動する。これにより、蓋体（３１）の開閉動作を安定させることができる。
【０００９】
前記蓋体（３１）は前記開口部（２９）を閉じる方向に付勢手段（４５）により付勢されているのが好ましい。この構成によれば、開口部（２９）を閉じる方向に蓋体（３１）が付勢手段（４５）により付勢されているので、この付勢手段（４５）の付勢力を調節することによって、蓋体（３１）を回動させて開口部（２９）を開く風圧の下限を調節することができる。
【００１０】
前記開口部（２９）は複数に分割されているのが好ましい。この構成によれば、開口部（２９）を複数に分割し、個々の開口の寸法を調節することで、人の手がケーシング（１２）内に入るのを防止したり、異物がケーシング（１２）内に入るのを防止することができる。
【００１１】
前記開口部（２９）にはグリル（３５）が設置されており、このグリル（３５）によって前記開口部（２９）が複数に分割されているのが好ましい。この構成によれば、開口部（２９）にグリル（３５）を設置するだけで個々の開口の寸法を調節することができる。
【００１２】
前記蓋体（３１）の下面（３２）または前記天板（１７）の上面には、前記蓋体（３１）の下面（３２）と前記天板（１７）の上面との間に介在する緩衝部（５１）が設けられているのが好ましい。この構成によれば、蓋体（３１）の下面（３２）と天板（１７）の上面との間に介在する緩衝部（５１）が設けられているので、開口部（２９）を閉じるために蓋体（３１）が回動して天板（１７）と接する際にその衝撃を緩和することができる。これにより、衝撃に起因する騒音が生じるのを抑制できる。また、衝撃に起因して蓋体（３１）および天板（１７）に不具合が生じるのを抑制できる。
【００１３】
前記緩衝部（５１）は、前記蓋体（３１）の下面（３２）の周縁に沿って、または前記天板（１７）の上面のうち前記開口部（２９）が閉じた状態のときに前記蓋体（３１）の下面（３２）の周縁に対応する部位に沿って連設されているのが好ましい。この構成によれば、緩衝部（５１）が蓋体（３１）の下面（３２）の周縁に沿って、または天板（１７）の上面のうち上記周縁に対応する部位に沿った位置に連設されているので、蓋体（３１）が開口部（２９）を閉じているときの密閉性を高めることができる。これにより、通常運転時に天板（１７）の開口部（２９）から雨水などがケーシング（１２）の内部に入り込むのを抑制することができる。
【００１４】
前記蓋体（３１）は少なくとも２つの部材に分割されており、各部材の一端が蝶番（３３）により前記天板（１７）の上面にそれぞれ取り付けられているのが好ましい。この構成によれば、蓋体（３１）を少なくとも２つの部材に分割することにより個々の部材のサイズを小さくできる。これにより、天板（１７）から離隔する方向に蓋体（３１）を回動させたときの出っ張りを小さくできるので、蓋体（３１）を回動させるために必要なスペースを小さくすることができる。
【００１５】
前記２つの部材は、前記開口部（２９）を閉じる方向に、異なる付勢力を有する付勢手段（４５）によりそれぞれ付勢されているのが好ましい。この構成によれば、付勢力の異なる付勢手段（４５）により２つの部材を付勢しているので、それぞれの部材が回動する風圧の下限を異ならせることができる。これにより、開口部（２９）の開口面積を風圧に応じて段階的に調節することができる。
【００１６】
前記ケーシング（１２）の内部には、ファン（６８ｂ）を有する送風機（６８）と熱交換器（６６）とが設置され、前記第１の通風口と第２の通風口を通る通風経路を含む送風機室（Ｓ１）と、この送風機室（Ｓ１）の側方に設けられた機械室（Ｓ２）とが区分されており、前記開口部（２９）は前記天板（１７）のうち前記送風機室（Ｓ１）の上部に設けられているのが好ましい。この構成によれば、開口部（２９）が送風機室（Ｓ１）の上部に設けられているので、風圧の変化を蓋体（３１）に対してより敏感に伝えることができるようになる。これにより、開口部（２９）を開閉する際の蓋体（３１）の応答性を高めることができる。
【００１７】
前記第１の通風口が排気口であり、前記第２の通風口が吸気口であり、前記熱交換器（６６）が前記吸気口に沿って設けられており、前記開口部（２９）は、前記熱交換器（６６）の表面のうち前記送風機（６８）側を向いた送風機側表面（６６ａ）よりも前記排気口側の領域の上部に設けられているのが好ましい。この構成では、通常運転時には、送風機側表面（６６ａ）よりも排気口側の領域が負圧になりやすいので、開口部（２９）が蓋体（３１）により閉じられた状態を安定して維持することができる。
【００１８】
前記開口部（２９）は、上記構成に加え、さらに、前記ファン（６８ｂ）における前記吸気口側の端部よりも前記吸気口側の領域の上部に設けられているのがより好ましい。すなわち、通常運転時には、送風機側表面（６６ａ）よりも排気口側の領域で、かつ、ファン（６８ｂ）の吸気口側端部よりも吸気口側の領域は、より負圧になりやすい。したがって、この構成では、通常運転時に開口部（２９）が閉じられた状態をより安定して維持することができる。
【００１９】
本発明の空気調和装置は、上記の空気調和装置用室外機と、室内機とを備えている。
【発明の効果】
【００２０】
以上説明したように、本発明によれば、天板が開口部とこの開口部を開閉可能な蓋体とを備えているので、大きな風圧を受け、第１の通風口と第２の通風口を通る通風経路だけではその風圧を十分に緩和できない場合であっても、天板に設けられた蓋体により開口部を開くことによって風圧の影響を緩和することができるという効果がある。
【発明を実施するための最良の形態】
【００２１】
以下、本発明の実施形態について図面を参照し詳細に説明する。
【００２２】
（第１の実施形態）
図１は、本発明の第１の実施形態にかかる空気調和装置用室外機１１（以下、室外機１１という。）を前面板１３側から見た状態を示す斜視図であり、図２は、この室外機１１を背面板１５側から見た状態を示す斜視図である。図３は、室外機１１における開口部２９が開口された状態を示す斜視図である。図４（ａ）は、室外機１１における蓋体３１とこの蓋体３１に取り付けられた蝶番３３とを示す平面図であり、図４（ｂ）は、その側面図である。
【００２３】
図１〜４に示すように、室外機１１は、ケーシング１２と、このケーシング１２内に収容された熱交換器、圧縮機、送風機などの各種機器とを備えている。ケーシング１２は、排気口が設けられた前面板１３と、背面側吸気口が設けられた背面板１５と、側面側吸気口が設けられた側板２１と、この側板２１に対向する側板１９と、前面板１３、背面板１５及び側板１９，２１の上端をつなぐ天板１７とを有している。ケーシング１２は、前記背面側吸気口及び側面側吸気口と前記排気口とを通る通風経路を有している。
【００２４】
前面板１３には、前記排気口の開口を塞ぐように排気グリル２３が取り付けられている。背面板１５には、前記背面側吸気口の開口を塞ぐように吸気グリル２５が取り付けられている。側板２１には前記側面側吸気口の開口を塞ぐように吸気グリル２７が取り付けられている。
【００２５】
天板１７には開口部２９が形成されている。この開口部２９は、天板１７の下面に設置されたグリル３５によって複数に分割されている。これにより、開口部２９から異物が侵入するのを抑制し、誤って人の手が入るのを防止できる。また、天板１７には、開口部２９を開閉可能な蓋体３１が取り付けられている。
【００２６】
蓋体３１は、開口部２９の開口面積よりも面積が大きい下面３２を有している。蓋体３１の下面３２は、天板１７の上面側から開口部２９を覆っている。蓋体３１の一端は、蝶番３３により天板１７の上面に取り付けられている。
【００２７】
蝶番３３は、図４（ａ），（ｂ）に示すように、回動軸４７と、この回動軸４７が挿通された円筒部４１ａ及び天板１７への固定用ねじが挿通される貫通口４１ｂを有する第１の平板部材４１と、回動軸４７が挿通された円筒部４３ａ及び蓋体３１への固定用ねじ５５が挿通された貫通口４３ｂを有する第２の平板部材４３と、中空部に回動軸４７が挿通された渦巻ばね（付勢手段）４５とを有している。
【００２８】
このばね４５は、ワイヤの一方の端部が第１の平板部材４１の表面に配置されており、他方の端部が第２の平板部材４３の表面に配置されている。これにより、蓋体３１は、ばね４５の付勢力によって開口部２９を閉じる方向に付勢される。このばね４５の付勢力を調節することによって、蓋体３１を回動させて開口部２９を開く風圧の下限を調節することができる。
【００２９】
蓋体３１の下面３２には、この下面３２と天板１７の上面との間に介在する緩衝部材５１が配設されている。この緩衝部材５１は、蓋体３１の下面３２のうち、蝶番３３が取り付けられた端部とは反対側の端部の端辺に沿って配設されている。この端辺は蓋体３１が回動するときに最も大きな遠心力が働く部位であるので、当該端辺に沿って緩衝部材５１を配設することによって衝撃を効果的に緩和することができる。
【００３０】
緩衝部材５１を構成する材料としては、蓋体３１が回動して天板１７に接するときの衝撃を緩和することができるものであれば、特に限定されるものではない。緩衝部材５１の材料としては、例えば弾性を有する合成樹脂、合成ゴムなどを用いることができる。
【００３１】
図５は、本実施形態にかかる室外機１１における蓋体３１の変形例を示す底面図である。図５に示すように、この変形例における緩衝部材５１は、蓋体３１の下面３２の周縁に沿って連設されている。この構成によれば、蓋体３１により開口部２９が閉じられているときの蓋体３１の下面３２と天板１７の上面との間の密閉性を高めることができる。これにより、通常運転時に天板１７の開口部２９から雨水などがケーシング１２の内部に入り込むのを抑制することができる。また、緩衝部材５１が下面３２の周縁に沿って連設されているので、衝撃を緩和する効果がより高められている。
【００３２】
図６は、室外機１１の内部を上方から見た概略的なレイアウト図である。図６に示すように、ケーシング１２内には、このケーシング１２の底面に対して略垂直に立設された仕切板６４が設けられている。この仕切板６４によってケーシング１２内の空間が幅方向（長手方向）において送風機室Ｓ１と機械室Ｓ２とに仕切られている。送風機室Ｓ１は仕切板６４の凸面側に面する空間であり、この送風機室Ｓ１内には熱交換器６６と送風機６８とが設置されている。
【００３３】
熱交換器６６は、冷媒の熱交換を行うものであり、送風機室Ｓ１内において略Ｌ字状に屈曲してケーシング１２の側板２１から背面板１５に沿うように配置されている。送風機６８は、熱交換器６６への送風を行うものであり、モータ６８ａと、このモータ６８ａの駆動によって回転するファン６８ｂとを有している。モータ６８ａは、送風機室Ｓ１の略中央に設置されており、ファン６８ｂは、モータ６８ａに対してケーシング１２の前面板１３側に配置されている。
【００３４】
ケーシング１２の背面板１５において送風機室Ｓ１に対応する部位には図略の背面側吸気口が設けられている。ケーシング１２の側板２１には図略の側面側吸気口が設けられている。背面側吸気口及び側面側吸気口には、上述した吸気グリル２５，２７がそれぞれ取り付けられている。ケーシング１２の前面板１３には、図略の排気口が設けられており、この排気口には上述した排気グリル２３が取り付けられている。送風機室Ｓ１内において排気口の周囲はベルマウス６３によって囲まれている。そして、このベルマウス６３内にファン６８ｂの一部が嵌り込んでいる。
【００３５】
送風機６８のモータ６８ａの駆動によりファン６８ｂが回転することによって、前記背面側吸気口及び前記側面側吸気口を通じて送風機室Ｓ１内に外気が取り込まれる。この外気が熱交換器６６に送風されるとともに、熱交換器６６を通過した空気が前記排気口を通って外部へ排出される。すなわち、送風機室Ｓ１は、前記背面側吸気口及び側面側吸気口から前記排気口へつながる通風経路となる。
【００３６】
機械室Ｓ２は、ケーシング１２内において仕切板６４の凹面側に面する空間である。この機械室Ｓ２内には、圧縮機７０、アキュムレータ７２、電装品箱７４及びその他の構成機器が設けられている。
【００３７】
図６において、開口部２９の開口位置を破線で示している。このように開口部２９は、送風機室Ｓ１の上部、すなわち通風経路の上部に位置するように天板１７に穿孔されているので、風圧の変化を蓋体３１に対してより敏感に伝えることができる。
【００３８】
開口部２９は、熱交換器６６よりも通風経路の下流側に設けられているので、空気を室外に逃がすのに適している。これにより、風圧を効率的に低減することができる。また、この領域であれば開口部２９用に天板１７の大きなスペースを利用できる。
【００３９】
開口部２９は、熱交換器６６の表面のうち送風機６８側を向いた送風機側表面６６ａよりも前記排気口側の領域の上部に開口しているのが好ましい。この領域は、通常運転時には負圧になりやすい。したがって、開口部２９が当該領域の上部に設けられていることによって、通常運転時には開口部２９が蓋体３１で閉じられた状態を安定して維持することができる。さらに、開口部２９は、送風機側表面６６ａよりも排気口側の領域で、かつ、ファン６８ｂにおける吸気口側端部よりも吸気口側の領域の上部に設けられているのがより好ましい。この領域は、通常運転時にはより負圧になりやすい。
【００４０】
また、図６に示すようにファン６８ｂの一部がベルマウス６３の開口に嵌め込まれた形態の場合、開口部２９を設ける位置はベルマウス６３の開口端６３ａを基準にしてもよい。すなわち、この場合には、開口部２９は、送風機側表面６６ａよりも排気口側の領域で、かつ、ベルマウス６３の開口端６３ａよりも吸気口側の領域の上部に設けられていてもよい。
【００４１】
一方、室外機１１が大きな風圧を受けてケーシング１２の内部の圧力が高まった時には、その風圧がケーシング１２の内部側から開口部２９を通じて蓋体３１の下面３２を押圧する。この押圧力によって蓋体３１が押し上げられると、蝶番３３を中心に蓋体３１が回動するので、開口部２９を開口させることができる。このように室外機１１は、通常運転時には開口部２９からの空気の流入を抑制ないし防止し、風圧の影響を緩和させる必要があるときに選択的に開口部２９を開口させることができる。
【００４２】
室外機１１は、通常運転時だけでなく、停止時にも大きな風圧を受けることがある。停止時には、例えば前面板１３の通風口から強風が機内に入り込み、この強風がファン６８ｂや熱交換器６６に当たって大きな抵抗を受けて背面板１５の通風口から出ていくことがある。このような場合にも蓋体３１が強風により押し上げられて開口部２９が開口して風圧を緩和することができる。
【００４３】
なお、本実施形態では、開口部２９を送風機室Ｓ１の上部に設けて機械室Ｓ２には跨らないようにしているが、開口部２９を機械室Ｓ２側に延設することも可能である。このように機械室Ｓ２側に開口部２９を延設することによって機械室Ｓ２の電装品箱などで生じる熱を放熱する効果が高められる。
【００４４】
この室外機１１は、図略の室内機とともに空気調和装置として用いられる。
【００４５】
（第２の実施形態）
図７（ａ），（ｂ）は、本発明の第２の実施形態にかかる室外機１１の天板１７付近を示す斜視図である。なお、以下の説明において、第１の実施形態と同様の部材については同じ符号を付してその説明を省略する。
【００４６】
本実施形態にかかる室外機１１は、蓋体３１が第１の蓋体３１ａと第２の蓋体３１ｂに分割されている。第１の蓋体３１ａは、側板２１側に配置され、側板２１側の端部が天板１７の上面に蝶番３３によって取り付けられている。第２の蓋体３１ｂは、第１の蓋体３１ａよりも側板１９側に配置され、側板１９側の端部が天板１７の上面に蝶番３３によって取り付けられている。これら２つの蓋体３１ａ，３１ｂによって開口部２９が覆われている。この構成によれば個々の部材のサイズを小さくできるので、天板１７から離隔する方向に蓋体３１を回動させたときの出っ張りを小さくできる。
【００４７】
第１の蓋体３１ａと第２の蓋体３１ｂは、開口部２９を閉じる方向に、異なる付勢力を有するばね４５によりそれぞれ付勢されていてもよい。この構成によれば、第１の蓋体３１ａが回動する風圧の下限と、第２の蓋体３１ｂが回動する風圧の下限とを異ならせることができる。これにより、開口部２９の開口面積を風圧に応じて段階的に調節することができる。
【００４８】
また、回動する風圧の下限を異ならせるために、蓋体３１ａ，３１ｂの互いの重さを異ならせてもよい。重さを異ならせるには、例えば異なる材料を使用したり、蓋体におもりを付けるなどの手段が挙げられる。また、蓋体３１ａ，３１ｂの互いの面積（開口部に面する面積）を異ならせてもよい。
【００４９】
図７（ｂ）に示すように、天板１７の上面には、蓋体３１の下面３２と天板１７の上面との間に介在する緩衝部材５１が配設されている。この緩衝部材５１は、天板１７の上面のうち開口部２９が閉じた状態のときに蓋体３１の下面３２の周縁に対応する部位に沿って連設されている。
【００５０】
このように開口部２９を囲むように天板１７の上面に緩衝部材５１を設けることによって、蓋体３１が回動して開口部２９が開口した状態のときであっても、ケーシング１２の内部に異物が侵入するのを抑制する効果が高くなる。すなわち、本実施形態では、開口部２９が開口した状態のときでも開口部２９の周囲には壁状の緩衝部材５１が常に存在している。したがって、例えば降雨の後で雨水が天板１７の上面に残っている場合や天板１７の上面に異物が付着している場合であっても、緩衝部材５１が障壁となって残存した雨水や付着した異物が開口部２９からケーシング１２の内部に入り込むのを抑制できる。
【００５１】
以上、本発明の実施形態について説明したが、本発明は、上記各実施形態に限られるものではなく、その趣旨を逸脱しない範囲で種々変更、改良等が可能である。例えば、上記実施形態では、蝶番が蓋体におけるケーシングの側板側の端部に配置されている形態を例に挙げて説明したが、蓋体における背面板側又は前面板側の端部に蝶番を配置してもよい。
【００５２】
上記実施形態では、付勢手段として、蝶番に一体化された渦巻ばねを用いた形態を例に挙げて説明したが、本発明では、渦巻ばねに代えて例えば板ばねなどを用いてもよい。また、蝶番に一体化されたものではなく、例えば蝶番とは別体の渦巻ばねの一端をケーシングの内部に取り付け、他端を蓋体の下面に取り付けた形態であってもよい。
【００５３】
上記実施形態では、蓋体の回動を付勢手段により調節する場合を例に挙げて説明したが、付勢手段を用いることなく、例えば蓋体の自重を調節することによって蓋体の回動を調節してもよい。
【００５４】
上記実施形態では、開口部を複数に分割する手段としてグリルを配置する形態を例に挙げて説明したが、本発明では、例えばケーシングの天板に複数の小穴を直接穿孔した形態であってもよい。
【００５５】
上記実施形態では、蓋体の下面とケーシングの上面のいずれかに緩衝部材を配設した場合を例に挙げて説明したが、緩衝部材を蓋体の下面とケーシングの上面の両方に配設してもよい。
【００５６】
また、本発明は、防雪フードが設けられたタイプ、縦長のタイプなどのように風圧の影響を受けやすい室外機に特に有効である。すなわち、防雪フードが設けられた室外機は、通風口にフードが取り付けられるので風圧の影響を受けやすく、また縦長の室外機は、横長の室外機に比べて、重量に対する設置面積の割合が小さくなりやすい。したがって、これらのタイプの室外機において天板に開口部及び蓋体を設けることによって、風圧の影響をより効果的に緩和することができる。
【図面の簡単な説明】
【００５７】
【図１】本発明の第１の実施形態にかかる空気調和装置用室外機を前面板側から見た状態を示す斜視図である。
【図２】本発明の第１の実施形態にかかる空気調和装置用室外機を背面板側から見た状態を示す斜視図である。
【図３】第１の実施形態にかかる空気調和装置用室外機における開口部が開口された状態を示す斜視図である。
【図４】（ａ）は、第１の実施形態にかかる空気調和装置用室外機における蓋体とこの蓋体に取り付けられた蝶番とを示す平面図であり、（ｂ）は、その側面図である。
【図５】第１の実施形態にかかる空気調和装置用室外機における蓋体の変形例を示す底面図である。
【図６】第１の実施形態にかかる空気調和装置用室外機の内部を上方から見た概略的なレイアウト図である。
【図７】（ａ）及び（ｂ）は、本発明の第２の実施形態にかかる空気調和装置用室外機の天板付近を示す斜視図である。（ａ）は、この空気調和装置用室外機における開口部が閉じられた状態を示し、（ｂ）は、この空気調和装置用室外機における開口部が開口された状態を示している。
【符号の説明】
【００５８】
１１  室外機
１２  ケーシング
１３  前面板
１５  背面板
１７  天板
１９，２１  側板
２３  排気グリル
２５，２７  吸気グリル
２９  開口部
３１  蓋体
３１ａ  第１の蓋体
３１ｂ  第２の蓋体
３３  蝶番
３５  グリル
４５  ばね（付勢手段）
５１  緩衝部材
Ｓ１  送風機室
Ｓ２  機械室
【図１】
2009293876.tif 000003
【図２】
2009293876.tif 000004
【図３】
2009293876.tif 000005
【図４】
2009293876.tif 000006
【図５】
2009293876.tif 000007
【図６】
2009293876.tif 000008
【図７】
2009293876.tif 000009